(57)【要約】負圧発生ファンを回転させる三相直流ブラシレスモータの固定子の巻線に対して電流を供給する直流ブラシレスモータ制御装置であって、電圧が３００ボルト以下の交流を整流する整流部と、整流部が整流した電流の電圧を、３６０ボルト以上に昇圧する昇圧部と、昇圧部が昇圧した電流を、三相直流ブラシレスモータの巻線に供給する三相ブリッジインバータ部と、三相直流ブラシレスモータのロータの磁極位置を検出する磁極位置検出部が検出する磁極位置に基づいて、三相ブリッジインバータ部の通電状態を制御することにより、ロータの回転数を制御する制御部と、を備える。
2016194837.tif 000002
【特許請求の範囲】
【請求項１】
負圧発生ファンを回転させる三相直流ブラシレスモータの固定子の巻線に対して電流を供給する直流ブラシレスモータ制御装置であって、
電圧が３００ボルト以下の交流を整流する整流部と、
前記整流部が整流した電流の電圧を、３６０ボルト以上に昇圧する昇圧部と、
前記昇圧部が昇圧した電流を、前記三相直流ブラシレスモータの前記巻線に供給する三相ブリッジインバータ部と、
前記三相直流ブラシレスモータのロータの磁極位置を検出する磁極位置検出部が検出する前記磁極位置に基づいて、前記三相ブリッジインバータ部の通電状態を制御することにより、前記ロータの回転数を制御する制御部と、
を備える、直流ブラシレスモータ制御装置。
【請求項２】
請求項１に記載の直流ブラシレスモータ制御装置であって、
前記昇圧部は、昇圧コイルと、昇圧コンデンサと、スイッチ素子と、スイッチ制御素子とを備え、前記スイッチ素子のオン状態及びオフ状態を前記スイッチ制御素子が切り換えて前記昇圧コイル及び前記昇圧コンデンサの充放電を繰り返すことによって昇圧するものであり、前記昇圧コイル、前記昇圧コンデンサ、及び前記スイッチ素子の電流値に関する部品定格が、前記整流部に入力される交流電圧が所定の電圧未満である場合の第１の部品定格と、前記整流部に入力される交流電圧が所定の電圧以上である場合の第２の部品定格とのいずれかの部品定格であり、前記スイッチ制御素子の電流値に関する部品定格が、前記第１の部品定格である。
【請求項３】
請求項２に記載の直流ブラシレスモータ制御装置であって、
前記所定の電圧は、２００ボルトである。
【請求項４】
請求項１から請求項３のいずれかに記載の直流ブラシレスモータ制御装置であって、
前記昇圧部が昇圧した電流の電圧を５ボルト以下に降圧する降圧部を備え、
前記制御部は、前記降圧部が５ボルト以下に降圧した電流により動作する。
【発明の詳細な説明】
【技術分野】
【０００１】
本発明は、直流ブラシレスモータ制御装置に関する。
【背景技術】
【０００２】
従来、昇圧運転モードと昇圧動作させない非昇圧運転モードとが選択自由に切替えられるコンバータ回路を搭載した電気掃除機が知られている。（例えば、特許文献１）。これにより、必要な場合のみ昇圧させることが可能となるため、電気掃除機の１回の充電当たりの電池使用時間を長くもたせることができるとしている。つまり、省エネを効果として謳っている。【０００３】
なお、昇圧運転モードは、電気掃除機のモード「強」「中」「弱」に対応し、非昇圧運転モードは、電気掃除機のモード「パワー」に対応している。
【先行技術文献】
【特許文献】
【０００４】
【特許文献１】日本国公開公報：特開２００３−１３５３４５号
【発明の概要】
【発明が解決しようとする課題】
【０００５】
しかしながら、実際に掃除をする時には、常に強い吸引力を発生させ続けることが多く、当該特許文献１で言えば、常に「パワー」モードを選択し続けることが多い。その場合、昇圧運転モードと非昇圧運転モードとを切替可能なコンバータ回路が意味をなさなくなる、という問題があった。【０００６】
また、省エネという観点も大切だが、小型且つ安価な製品も市場では求められている。【０００７】
本発明は、上記事情に鑑みてなされたものであり、実際のユーザの使い方に即して、小型且つ安価な製品を提供していくことを目的とする。
【課題を解決するための手段】
【０００８】
本発明の実施形態における直流ブラシレスモータ制御装置は、負圧発生ファンを回転させる三相直流ブラシレスモータの固定子の巻線に対して電流を供給する直流ブラシレスモータ制御装置であって、電圧が３００ボルト以下の交流を整流する整流部と、前記整流部が整流した電流の電圧を、３６０ボルト以上に昇圧する昇圧部と、前記昇圧部が昇圧した電流を、前記三相直流ブラシレスモータの前記巻線に供給する三相ブリッジインバータ部と、前記三相直流ブラシレスモータのロータの磁極位置を検出する磁極位置検出部が検出する前記磁極位置に基づいて、前記三相ブリッジインバータ部の通電状態を制御することにより、前記ロータの回転数を制御する制御部と、を備える。
【発明の効果】
【０００９】
本発明の実施形態によれば、汎用性およびコストダウン効果の高い直流ブラシレスモータ制御装置を提供することができる。
【図面の簡単な説明】
【００１０】
【図１】図１は、本実施形態に係る吸引装置の外観の一例を示す図である。
【図２】図２は、本実施形態に係る吸引装置の機能構成の一例を示す図である。
【図３】図３は、本実施形態に係る吸引装置が備える三相ブリッジインバータ部、及び三相直流ブラシレスモータの構成の一例を示す図である。
【図４】図４は、三相直流ブラシレスモータの構造の一例を示す図である。
【図５】図５は、三相ブリッジインバータ部の電圧波形の一例を示す図である。
【図６】図６は、ＭＣＵが制御するロータの回転数と、目標回転数との関係の一例を示す図である。
【図７】図７は、磁極位置検出部が検出する磁極位置の移動の周期の一例を示す図である。
【図８】図８は、ＭＣＵの２つの動作モードを例示する図である。
【図９】図９は、昇圧部の構成の一例を示す図である。
【発明を実施するための形態】
【００１１】
以下、図面を参照し、本発明の実施形態に係る吸引装置１について説明する。
図１は、本実施形態に係る吸引装置１の外観の一例を示す図である。吸引装置１は、操作スイッチ１３を備える。
【００１２】
図２は、本実施形態に係る吸引装置１の機能構成の一例を示す図である。
吸引装置１は、操作スイッチ１３と、直流ブラシレスモータ制御装置１５と、三相直流ブラシレスモータ２０と、整流部２９と、昇圧部３０と、第１ＤＣ−ＤＣコンバーター３１と、第２ＤＣ−ＤＣコンバーター３２を備える。吸引装置１は、三相直流ブラシレスモータ２０によって負圧発生用のファン（不図示）を回転させることにより、負圧を発生させる。直流ブラシレスモータ制御装置１５は、制御部１６と、三相ブリッジインバータ部４０を備える。制御部１６は、ＭＣＵ（Micro Controller Unit）１７と、ドライバー１８を備える。ＭＣＵ１７は、操作スイッチ１３に対する操作を検出する図示しない操作検出部を備える。三相直流ブラシレスモータ２０は、磁極位置検出部２５を備える。直流ブラシレスモータ制御装置１５は、負圧発生ファンを回転させる三相直流ブラシレスモータ２０の固定子の巻線２１、２２、２３に対して電流を供給する。
【００１３】
整流部２９は、電圧が３００ボルト以下の交流を整流する。具体的には、整流部２９には、商用交流電源が接続される。この商用交流電源には、公称電圧が１００Ｖである１００Ｖ系の電源と、公称電圧が２３０Ｖである２３０Ｖ系の電源とが含まれる。例えば、整流部２９には、１００Ｖ系の商用交流電源、又は２３０Ｖ系の商用交流電源が接続される。この場合、整流部２９は、１００Ｖ系の交流、又は２３０Ｖ系の交流を整流する。
昇圧部３０は、整流部２９が整流した電流の電圧を、３６０ボルト以上に昇圧する。これにより、直流ブラシレスモータ制御装置１５は、３６０ボルト以上の供給電圧によって三相ブリッジインバータ部４０を制御することができる。ただし、昇圧後の電圧は３６０ボルト以外でもよい。
三相ブリッジインバータ部４０は、昇圧部２９が昇圧した電流を、三相直流ブラシレスモータ２０が備える後述する巻線２１、巻線２２、及び巻線２３のそれぞれに供給する。
直流ブラシレスモータ制御装置１５は、第２ＤＣ−ＤＣコンバーター３２を備える。第２ＤＣ−ＤＣコンバーター３２は、昇圧部３０が昇圧した電流の電圧を５ボルト以下に降圧する。第２ＤＣ−ＤＣコンバーター３２は、降圧部の一例である。この一例において、第２ＤＣ−ＤＣコンバーター３２は、昇圧部３０が昇圧した電流の電圧を、制御部１６の動作電圧である３．３ボルトに降圧する。
制御部１６は、第２ＤＣ−ＤＣコンバーター３２が５ボルト以下に降圧した電流により動作する。これにより、直流ブラシレスモータ制御装置１５は、第２ＤＣ−ＤＣコンバーター３２により降圧された供給電圧により、制御部１６が備えるＭＣＵ１７及び磁極位置検出部２５を動作させることができる。この一例において、制御部１６は、第２ＤＣ−ＤＣコンバーター３２が３．３ボルトに降圧した電流により動作する。
【００１４】
図３は、本実施形態に係る吸引装置１が備える三相ブリッジインバータ部４０、及び三相直流ブラシレスモータ２０の構成の一例を示す図である。
三相ブリッジインバータ部４０は、アーム４１と、アーム４２と、アーム４３を備える。アーム４１は、電界効果トランジスタ４１１と、電界効果トランジスタ４１２を備える。アーム４２は、電界効果トランジスタ４２１と、電界効果トランジスタ４２２を備える。アーム４３は、電界効果トランジスタ４３１と、電界効果トランジスタ４３２を備える。
【００１５】
三相直流ブラシレスモータ２０は、巻線２１と、巻線２２と、巻線２３と、ロータ２４と、磁極位置検出部２５−１と、磁極位置検出部２５−２と、磁極位置検出部２５−３と、永久磁石２４１を備える。なお、前述の磁極位置検出部２５は、磁極位置検出部２５−１と、磁極位置検出部２５−２と、磁極位置検出部２５−３との総称である。以下、磁極位置検出部２５−１と、磁極位置検出部２５−２と、磁極位置検出部２５−３とを区別する必要が無い限り、まとめて磁極位置検出部２５と称して説明する。
【００１６】
図４は、三相直流ブラシレスモータ２０の構造の一例を示す図である。
図５は、三相ブリッジインバータ部４０による電界効果トランジスタ４１１と、電界効果トランジスタ４２１と、電界効果トランジスタ４３１とを制御する電圧波形の一例を示す図である。なお、電界効果トランジスタ４１１と、電界効果トランジスタ４２１と、電界効果トランジスタ４３１とはそれぞれ、第１スイッチング素子の一例である。また、電界効果トランジスタ４１２と、電界効果トランジスタ４２２と、電界効果トランジスタ４３２とはそれぞれ、第２スイッチング素子の一例である。
【００１７】
以下、電界効果トランジスタ４１１と、電界効果トランジスタ４２１と、電界効果トランジスタ４３１とを区別する必要が無い限り、まとめて第１スイッチング素子と称して説明する。以下、電界効果トランジスタ４１２と、電界効果トランジスタ４２２と、電界効果トランジスタ４３２とを区別する必要が無い限り、まとめて第２スイッチング素子と称して説明する。
【００１８】
図５（Ａ）は、三相直流ブラシレスモータ２０が備えるロータ２４の回転数が所定の回転数以上の場合に三相ブリッジインバータ部４０が第１スイッチング素子を制御する電圧波形の一例である。なお、ロータ２４の回転数は、磁極位置検出部２５が検出する磁極位置に基づいてＭＣＵ１７により算出される。ロータ２４の回転数が所定の回転数以上の場合、三相ブリッジインバータ部４０は、第１スイッチング素子の通電状態を、磁極位置検出部２５が検出する磁極位置が基準位置に達した時点から順に、第１状態Ｓ１と、第２状態Ｓ２と、第３状態Ｓ３と、第４状態Ｓ４と、を含む複数の状態によって制御する。すなわち、制御部１６は、三相直流ブラシレスモータ２０のロータ２４の磁極位置を検出する磁極位置検出部２５が検出する磁極位置に基づいて、三相ブリッジインバータ部４０の通電状態を制御することにより、ロータ２４の回転数を制御する。
【００１９】
第１状態Ｓ１では、第１スイッチング素子と第２スイッチング素子とがいずれもオフ状態である。第２状態Ｓ２では、第１スイッチング素子がオン状態に維持され第２スイッチング素子がオフ状態に維持される。第３状態Ｓ３では、第１スイッチング素子と第２スイッチング素子とがいずれもオフ状態である。第４状態Ｓ４では、第１スイッチング素子がオフ状態に維持され第２スイッチング素子がオン状態に維持される。以下、図５（Ａ）に示した電圧波形による第１スイッチング素子の制御を、ワンパルス制御と称する。直流ブラシレスモータ制御装置１５は、ワンパルス制御により、スイッチングロスを低減することができる。
【００２０】
図５（Ｂ）は、三相直流ブラシレスモータ２０が備えるロータ２４の回転数が所定の回転数未満の場合に三相ブリッジインバータ部４０が第１スイッチング素子を制御する電圧波形の一例である。所定の回転数は、この一例において、２００００［ｒ／ｍ］（revolution per minutes）である。ロータ２４の回転数が所定の回転数未満の場合、三相ブリッジインバータ部４０は、第１スイッチング素子の通電状態を、磁極位置検出部２５が検出する磁極位置が基準位置に達した時点から順に、第１状態Ｓ１と、第５状態Ｓ５と、第３状態Ｓ３と、第４状態Ｓ４とを含む複数の状態によって制御する。第５状態Ｓ５では、第２スイッチング素子がオフ状態に維持されつつ、第１スイッチング素子がオン状態とオフ状態とを交互に切り替えられる。以下、図５（Ｂ）に示した電圧波形による第１スイッチング素子の制御を、ＰＷＭ（Pulse Width Modulation）制御と称する。
【００２１】
図６は、ＭＣＵ１７が三相ブリッジインバータ部４０により制御するロータ２４の回転数と、目標回転数との関係の一例を示す図である。ＭＣＵ１７は、算出したロータ２４の回転数が所定の回転数未満の間、三相ブリッジインバータ部４０により第１スイッチング素子を、図５（Ｂ）に示した電圧波形によって制御させる。一方、ＭＣＵ１７は、算出したロータ２４の回転数が所定の回転数以上の場合、三相ブリッジインバータ部４０により第１スイッチング素子を、図５（Ａ）に示した電圧波形によって制御させる。これにより、直流ブラシレスモータ制御装置１５は、低速域は制御性がよいＰＷＭ制御、高速域は効率がよいワンパルス制御を行うことにより、制御性と効率とを両立させることができる。
【００２２】
ＭＣＵ１７は、操作スイッチ１３により受け付けられた操作に基づいて、記憶部１２から当該操作に応じたレベルの目標回転数を示す情報を読み出す。目標回転数のレベルは、例えば、レベル１〜レベル５の５段階である。これらの目標回転数のレベルのそれぞれは、各目標回転数に応じた吸引装置１の吸込仕事率と対応付けられている。ＭＣＵ１７は、三相ブリッジインバータ部４０に第１スイッチング素子を制御させ、読み出した目標回転数と、算出したロータ２４の回転数とを一致させる。これにより、直流ブラシレスモータ制御装置１５は、吸引装置１の使用状況に適したレベルの回転数で三相直流ブラシレスモータ２０を制御することができる。例えば、吸引装置１が掃除機である場合には、直流ブラシレスモータ制御装置１５は、フローリングや畳、絨毯等の床面の状況にそれぞれ適したレベルの回転数で三相直流ブラシレスモータ２０を制御することができる。
【００２３】
ＭＣＵ１７は、ロータ２４の回転数を目標回転数のレベルに応じて変化させる際、ワンパルス制御における第２状態の継続時間を、ロータ２４の目標回転数に応じて変化させる。これにより、直流ブラシレスモータ制御装置１５は、ワンパルス制御において、ロータ回転数を制御することができる。なお、ここでいう継続時間とは、ロータ２４の回転数に応じて変化する時間であり、絶対的な時間を意味していない。また、ＭＣＵ１７は、第２状態の継続時間を変化させる際には、第１スイッチング素子を可変させ、第２スイッチング素子を可変させずに制御する。
【００２４】
なお、吸引装置１は、三相直流ブラシレスモータ２０の動作電源としての電池を備えていてもよい。この電池は、例えば、ニッケル−カドミウム電池、ニッケル−水素電池、又はリチウムイオン電池などの二次電池であってもよい。三相直流ブラシレスモータ２０が電池によって動作している場合には、ＭＣＵ１７は、電池の残存電力量に基づいて、ロータ２４の目標回転数を変更してもよい。
具体的には、ＭＣＵ１７は、電池の残存電力量が所定のしきい値未満の場合、ロータ２４の目標回転数を低減して、ロータ２４の回転数を制御する。所定のしきい値は、特定の残存電力量を示す値であってもよく、所定の割合であってもよい。この一例において、所定のしきい値は、所定の割合である。所定の割合とは、例えば、電池の容量の２０％である。これにより、直流ブラシレスモータ制御装置１５は、二次電池の残存電力量が少ない場合に、吸引装置１の使用可能な時間を長くすることができる。また、ＭＣＵ１７は、電池の残存電力量が所定のしきい値未満の場合、目標回転数を所定値に保持する等の他の処理を行ってもよい。このように構成することにより、直流ブラシレスモータ制御装置１５は、二次電池の残存電力量が少ない場合に、吸引装置１の使用可能な時間を長くすることができる。
また、ＭＣＵ１７は、電池の残存電力量が所定のしきい値以上か、所定のしきい値未満かによって、ロータ２４の目標回転数を切り換える制御を行なってもよい。具体的には、ＭＣＵ１７は、電池の残存電力量が所定のしきい値以上の場合には、ロータ２４の目標回転数を変更せずにロータ２４の回転数を制御する。また、ＭＣＵ１７は、電池の残存電力量が所定のしきい値未満の場合には、ロータ２４の目標回転数を低減してロータ２４の回転数を制御する。このように構成することにより、直流ブラシレスモータ制御装置１５は、電池の残存電力量が所定のしきい値以上の場合には、所定の吸引力を維持し、電池の残存電力量が所定のしきい値未満の場合には、動作時間を長くすることができる。すなわち、直流ブラシレスモータ制御装置１５は、電池の残存電力量に応じて、例えば、パワー維持モードと省エネモードとの切り替えをすることができる。
【００２５】
図７は、磁極位置検出部２５が検出する磁極位置の移動の周期の一例を示す図である。ＭＣＵ１７は、磁極位置検出部２５から供給される磁極位置を示す信号を、磁極位置の判定に用いる信号として取得するか否かを、磁極位置検出部２５が検出する磁極位置の移動の周期に基づいて判定する。この図において、電気角１周期に要する時間は、ロータ２４の回転数の変化に応じて変化する。具体的には、電気角１周期に要する時間は、ロータ２４が高速回転する場合、低速回転する場合に比べて短い。また、ロータ２４の回転数の変化速度が所定範囲内であれば、電気角１周期に要する時間の変化も所定範囲内である。つまり、一例として、２００００［ｒ／ｍ］程度以上で高速回転しているロータ２４が数回転する程度の微小な時間内であれば、電気角１周期に要する時間の変化は、極めて小さい。したがって、ＭＣＵ１７は、電気角１周期に要する時間を算出することにより、算出したタイミングから微小な時間経過後における、電気角１周期に要する時間の幅を推定することができる。つまり、ＭＣＵ１７は、磁極位置を示す信号が、どのタイミングで発生するのかを推定することができる。ＭＣＵ１７は、磁極位置を示す信号のうち、推定した電気角１周期に要する時間の幅内のタイミングで発生した磁極位置を示す信号を、ノイズではないと判定する。ＭＣＵ１７は、ノイズではないと判定した磁極位置を示す信号を、磁極位置の判定に用いる信号として取得すると判定する。また、ＭＣＵ１７は、磁極位置を示す信号のうち、推定した電気角１周期に要する時間の幅外のタイミングで発生した磁極位置を示す信号を、ノイズであると判定する。ＭＣＵ１７は、ノイズであると判定した磁極位置を示す信号を、磁極位置の判定に用いる信号として取得しないと判定する。
【００２６】
また、ＭＣＵ１７は、磁極位置検出部２５が検出する磁極位置の移動の周期と、ロータ２４の目標回転数とに基づいて、ロータ２４の回転数をフィードバック制御することもできる。例えば、ＭＣＵ１７は、図８に示した２つの動作モードのいずれかの動作モードによって動作する。図８は、ＭＣＵ１７の２つの動作モードを例示する図である。２つの動作モードは、例えば、電流保持モードと回転数保持モードである。ＭＣＵ１７の動作モードが電流保持モードの場合、ＭＣＵ１７は、巻線２１、巻線２２、巻線２３のそれぞれに供給される電流値のフィードバックによりロータ２４の回転数を制御する。具体的には、巻線２１、巻線２２、巻線２３に供給される電流値は、電流センサ（不図示）により検出される。この場合、ＭＣＵ１７は、電流センサが検出する巻線２１、巻線２２、巻線２３の電流値と、目標電流値との差分に基づいて、巻線２１、巻線２２、巻線２３に供給する電流値を算出する。また、ＭＣＵ１７は、算出した電流値の電流を巻線２１、巻線２２、巻線２３に供給する。
また、ＭＣＵ１７の動作モードが回転数保持モードの場合、ＭＣＵ１７は、ロータ２４の回転数のフィードバックにより、ロータ２４の回転数を制御する。具体的には、ＭＣＵ１７は、磁極位置検出部２５により検出された磁極位置の変化周期に基づいて、ロータ２４の回転数を算出する。また、ＭＣＵ１７は、算出したロータ２４の回転数と、目標回転数との差分に基づいて、巻線２１、巻線２２、巻線２３に供給する電圧波形を算出する。また、ＭＣＵ１７は、算出した電圧波形の電流を巻線２１、巻線２２、巻線２３に供給する。ＭＣＵ１７は、これらの回転数の制御を、磁極位置検出部２５が検出する磁極位置の移動の周期が示すロータ２４の回転数が、操作検出部が検出する操作に対応する目標回転数を超える場合に行う。これにより、直流ブラシレスモータ制御装置１５は、フィードバックにより、ロータ２４の回転数が目標上限値である目標回転数から意図せずに上昇してしまうことによる発熱を抑制することができる。
また、ロータ２４の回転数が変化すると、ロータ２４の回転により発生する音の周波数が変化する。一般に、吸引装置１が発する音の周波数が変化すると、周波数が一定である場合に比べて、音が耳障りに聞こえやすくなる。この直流ブラシレスモータ制御装置１５は、回転数フィードバック又は電流フィードバック制御を行うことによりロータ２４の回転数の変動を抑制することができる。このため、直流ブラシレスモータ制御装置１５は、吸引装置１が発する音の周波数の変化を抑制することができる。したがって、直流ブラシレスモータ制御装置１５は、吸引装置１が発する音が耳障りになる程度を低減することができる。
【００２７】
ここで、操作検出部が検出する操作は、この一例において、吸引装置の吸引力の段階を選択する操作である。記憶部には、図６に示したように、ロータ２４の目標回転数を示す情報が、操作検出部が検出する操作が示す吸引装置１の吸引力の段階に対応する複数の段階の回転数に区切られて記憶されている。ＭＣＵ１７は、操作検出部が検出した操作に応じた吸引力の段階に対応する段階の目標回転数を示す情報を記憶部１２から読み出す。ＭＣＵ１７は、ロータ２４の回転数を、読み出した目標回転数に一致させる。これにより、直流ブラシレスモータ制御装置１５は、吸引力に基づく吸引装置１の操作をユーザに提供することができる。
【００２８】
図９は、昇圧部３０の構成の一例を示す図である。昇圧部３０は、昇圧コイルと、昇圧コンデンサと、スイッチ素子と、スイッチ制御素子を備える。本実施形態においては、昇圧部３０は、さらに検出コイルと、分圧抵抗と、を備える。スイッチ制御素子は、検出コイルの電圧変化と、分圧抵抗の電圧変化とを監視し、スイッチ素子のオン状態とオフ状態とを切り換える。昇圧部３０は、スイッチ素子のオン状態及びオフ状態をスイッチ制御素子が切り換えて昇圧コイル及び昇圧コンデンサの充放電を繰り返すことによって、整流部２９から供給される電流の電圧を昇圧する。
これら昇圧コイル、昇圧コンデンサ、及びスイッチ素子を構成する部品には、昇圧動作中に流れる電流値に応じた定格の部品が選択される。昇圧コイル、昇圧コンデンサ、及びスイッチ素子の電流値に関する部品定格は、整流部２９に入力される交流電圧が所定の電圧未満である場合の第１の部品定格と、整流部２９に入力される交流電圧が所定の電圧以上である場合の第２の部品定格とのいずれかの部品定格である。なお、本実施形態においては、所定の電圧は、２００ボルトである。具体的には、昇圧コイル、昇圧コンデンサ、及びスイッチ素子の電流値に関する部品定格には、１００Ｖ系の部品定格と、２３０Ｖ系の部品定格とがある。スイッチ制御素子の電流値に関する部品定格は、第１の部品定格である。
【００２９】
ここで、昇圧部３０の昇圧動作中において、昇圧コイル、昇圧コンデンサ、及びスイッチ素子には、昇圧部３０の他の部品に比べて、比較的大きな電流が流れる。また、昇圧部３０の昇圧動作中において、昇圧部３０の出力電圧が電源電圧に依らず一定であれば、昇圧コイル、昇圧コンデンサ、及びスイッチ素子に流れる電流は、電源電圧が低いほど大きい。例えば、電源電圧が１００Ｖ系の場合に、昇圧コイル、昇圧コンデンサ、及びスイッチ素子に流れる電流は、電源電圧が２３０Ｖ系の場合に、これら各部に流れる電流に比べて大きい。よって、１００Ｖ系の部品定格の部品は、２３０Ｖ系の部品定格の部品に比べて、より大きな電流を流せるように設計されている。したがって、１００Ｖ系の部品定格の部品は、２３０Ｖ系の部品定格の部品に比べて、一般的に大型であり、価格も高価である。よって、１００Ｖ系の電源電圧で動作する装置と、２３０Ｖ系の電源電圧で動作する装置とでは、昇圧コイル、昇圧コンデンサ、及びスイッチ素子の部品定格を、それぞれの電源電圧に応じた部品定格にすることが望ましい。具体的には、１００Ｖ系の電源電圧で動作する装置の昇圧部３０には、１００Ｖ系の部品定格の昇圧コイル、昇圧コンデンサ、及びスイッチ素子を選定する。２３０Ｖ系の電源電圧で動作する装置の昇圧部３０には、２３０Ｖ系の部品定格の昇圧コイル、昇圧コンデンサ、及びスイッチ素子を選定する。これにより、２３０Ｖ系の電源電圧で動作する装置の昇圧部３０に、１００Ｖ系の部品定格の昇圧コイル、昇圧コンデンサ、及びスイッチ素子を選定する場合に比べて、昇圧部３０を小型且つ安価にすることができる。
【００３０】
一方で、部品を共通化すると、大量生産の効果等により価格が低減する。そこで、昇圧部３０を構成する部品のうち、電源電圧が変化しても、流れる電流の変化が比較的小さい部品については、１００Ｖ系と２３０Ｖ系とで同じ部品を選定する。例えば、昇圧部３０のスイッチ制御素子や検出コイルは、昇圧コイル、昇圧コンデンサ、及びスイッチ素子に比べて、流れる電流が小さい。このため、スイッチ制御素子や検出コイルは、電源電圧が１００Ｖ系である場合と、２３０Ｖ系である場合とで、流れる電流の差が比較的小さい。そこで、昇圧部３０の部品のうち、スイッチ制御素子や検出コイルは、電源電圧が１００Ｖ系である場合と、２３０Ｖ系である場合とで共通の部品を選定する。
【００３１】
すなわち、昇圧部３０を構成する部品のうち、大きな電流が流れる部品については、電源電圧に応じた部品定格の部品を選定し、小さい電流が流れる部品については、電源電圧に依らず共通の部品定格の部品を選定する。これにより、直流ブラシレスモータ制御装置１５は、安価な部品を選定することによる価格低減と、部品を共通化することによる価格低減とを両立させて、装置全体の価格を低減することができる。なお、吸引装置１は、吸引装置の一例である。
【符号の説明】
【００３２】
１…吸引装置、１２…記憶部、１３…操作スイッチ、１５…直流ブラシレスモータ制御装置、１６…制御部、１７…ＭＣＵ、１８…ドライバー、２０…三相直流ブラシレスモータ、２１、２２、２３…巻線、２４…ロータ、２５、２５−１、２５−２、２５−３…磁極位置検出部、２９…整流部、３０…昇圧部、３１…第１ＤＣ−ＤＣコンバーター、３２…第２ＤＣ−ＤＣコンバーター、４０…三相ブリッジインバータ部、２４１…永久磁石、４１１、４１２、４２１、４２２、４３１、４３２…電界効果トランジスタ
【図１】
2016194837.tif 000003
【図２】
2016194837.tif 000004
【図３】
2016194837.tif 000005
【図４】
2016194837.tif 000006
【図５】
2016194837.tif 000007
【図６】
2016194837.tif 000008
【図７】
2016194837.tif 000009
【図８】
2016194837.tif 000010
【図９】
2016194837.tif 000011
【国際調査報告】
2016194837.tif 000012
2016194837.tif 000013
2016194837.tif 000014
2016194837.tif 000015